(57)【要約】【課題】  パレットの底部に凹部が形成されている場合にも、パレット上に載置された運搬物とパレットとを梱包バンドによって確実に梱包することができる。【解決手段】  被梱包物が載置される作業テーブル部１１ａが上面に設けられた本体ハウジング１１に、作業テーブル部１１ａと同じ高さから上方に突出するように昇降可能になった昇降台１６が設けられており、昇降台１６から引き出された梱包バンドを、作業テーブル部１１ａ上に設けられたバンド案内アーチ１５に沿って配置して引き締めることによって、作業テーブル部１１ａ上に載置された被梱包物に梱包バンド２１を巻回する。巻回された梱包バンド２１部分にその梱包バンド２１の先端部を、昇降台１６に設けられた溶着部１６ｂによって溶着して切断する。【選択図】  図１
2006082821.tif 000002
【特許請求の範囲】
【請求項１】
本体ハウジングから引き出されて該本体ハウジング上面の作業テーブル部上に設けられたバンド案内アーチに沿って配置された梱包バンドを引き締めることによって、前記本体ハウジング上面の作業テーブル部上に載置された被梱包物に該梱包バンドを巻回して、巻回された梱包バンド部分にその梱包バンドの先端部を溶着させて切断する梱包機であって、
前記本体ハウジングに、前記作業テーブル部と同じ高さから上方に突出するように昇降可能になった昇降台が設けられており、該昇降台から前記梱包バンドが引き出されるように構成されるとともに、該昇降台に前記梱包バンドの先端部を溶着させる機構が設けられていることを特徴とする梱包機。
【発明の詳細な説明】
【技術分野】
【０００１】
本発明は、被梱包物を熱可塑性樹脂製の梱包バンドによって梱包する梱包機に関する。
【背景技術】
【０００２】
液晶表示パネルの製造工場において、ガラス板、電子機器部品等のような各種部品は、通常、輸送用容器内に収容されて搬入され、所定の処理が実施された後に、製品である液晶表示パネルに組み立てられる。ガラス板等の部品が収容された物品である輸送用容器は、パレット上に、所定個数が長方体形状のブロックに積み重ねられて、梱包バンドによってパレットと輸送用容器とが一体的に梱包される。
【０００３】
パレットと輸送用容器とを一体的に梱包するために梱包機が使用される。このような梱包機は、例えば、特開平８−２８２６１８号公報に開示されている。梱包機は、通常、水平な平坦面になった作業テーブル部に、パレット上に輸送用容器等の運搬物が載置された被梱包物が載置されて、載置された被梱包物の周囲に設けられたバンド案内アーチに沿って配置された梱包バンドを引き締めて被梱包物の周囲に梱包バンドを巻回し、巻回された梱包バンドに、その梱包バンドの先端部を重ねて溶着した後に切断するようになっている。
【特許文献１】特開平８−２８２６１８号公報
【発明の開示】
【発明が解決しようとする課題】
【０００４】
輸送容器等の運搬物を運搬する際に使用されるパレットは、通常、フォークリフトの一対のアーム部が挿入される空間が上下方向の中程に設けられている。従って、パレットの底面は平坦な状態になっており、梱包機によって梱包バンドを巻回して引き締めることによって、パレット上の運搬物とパレットとが梱包バンドにより確実に一体的に梱包される。
【０００５】
近時、このようなパレットに代わって、図５に示すパレットも使用されるようになっている。図５に示すパレット３１は、ダンボール等によって、上下方向に薄くなった長方体形状に形成されており、その底部には、幅方向に沿った一対の凹部３１ａが、長手方向の中央部を挟んで形成されている。従って、パレット３１の長手方向の中央部と、長手方向の両側の端部とには、それぞれが幅方向に沿った脚部３１ｂが形成されている。
【０００６】
このような構成のパレット３１上に運搬物３２を載置した状態で、パレット３１と運搬物とを、梱包機を使用して梱包バンド２１にて一体的に梱包する場合には、パレット３１の各凹部３１ａ内に梱包バンド２１を通過させて梱包する必要がある。
【０００７】
しかしながら、梱包機における水平な作業テーブル部上にパレット３１を載置すると、作業テーブル部上には、パレット３１の凹部３１ａの空間が存在するために、梱包バンド２１を凹部３１ａ内に通過させて引き締めても、凹部３１ａの空間によって、梱包バンド２１は、パレット３１および運搬物３２に密着することができず、パレット３１と運搬物３２とを確実に一体的に梱包することができないという問題がある。
【０００８】
本発明は、このような問題を解決するものであり、その目的は、パレットの底部に凹部が形成されている場合にも、パレット上に載置された運搬物とパレットとを梱包バンドによって確実に梱包することができる梱包機を提供することにある。
【課題を解決するための手段】
【０００９】
本発明の梱包機は、本体ハウジングから引き出されて該本体ハウジング上面の作業テーブル部上に設けられたバンド案内アーチに沿って配置された梱包バンドを引き締めることによって、前記本体ハウジング上面の作業テーブル部上に載置された被梱包物に該梱包バンドを巻回して、巻回された梱包バンド部分にその梱包バンドの先端部を溶着させて切断する梱包機であって、前記本体ハウジングに、前記作業テーブル部と同じ高さから上方に突出するように昇降可能になった昇降台が設けられており、該昇降台から前記梱包バンドが引き出されるように構成されるとともに、該昇降台に前記梱包バンドの先端部を溶着させる機構が設けられていることを特徴とする。
【発明の効果】
【００１０】
本発明の梱包機は、このように、作業テーブル部から上方に突出し得る昇降台が設けられて、この昇降台に梱包バンドの先端部の溶着部が設けられていることから、パレットの底部に凹部が形成されている場合にも、パレット上に載置された運搬物とパレットとを梱包バンドによって確実に梱包することができる。
【発明を実施するための最良の形態】
【００１１】
図１は、本発明の梱包機の一例を示す概略構成図である。この梱包機は、上面が被梱包物が載置される水平な平坦面の作業テーブル部１１ａになった本体ハウジング１１を有しており、この本体ハウジング１１内には、梱包バンド２１がコイル状に巻回されたバンドコイル２０が装着されるバンドリール１２が設けられている。梱包バンド２１は、作業テーブル部１１ａ上に載置される被梱包物３０を梱包するために、ポリプロピレン等の熱可塑性樹脂によってテープ状に形成されている。
【００１２】
また、本体ハウジング１１上には、バンドリール１２から引き出された梱包バンド２１を案内するバンド案内アーチ１５が設けられている。バンド案内アーチ１５は、作業テーブル部１１ａの中央部における各側部上からそれぞれ上方に延出する一対の支柱部１５ａと、各支柱部１５ａの上端部同士を連結する水平なビーム部１５ｂとにより「アーチ型」に形成されいてる。
【００１３】
本体ハウジング１１の作業テーブル部１１ａ上には、例えば、図５に示すように、パレット３１上に各種物品を収納した運搬箱３２が載置された被梱包物３０が載置される。図５に示すパレット３１は、ダンボール等によって、上下方向に薄くなった長方体形状に形成されており、その底部には、幅方向に沿った一対の凹部３１ａが、長手方向の中央部を挟んで形成されている。従って、パレット３１の長手方向の中央部と、長手方向の両側の端部とには、それぞれが幅方向に沿った脚部３１ｂが形成されている。本体ハウジング１１の作業テーブル部１１ａは、このようなパレット３１および運搬箱３２によって形成される被梱包物３０が載置されるようになっている。
【００１４】
本体ハウジング１１内に設けられたバンドリール１２は、バンド案内アーチ１５おける一方の支柱部１５ａに近接した側部に設けられている。バンドリール１２は、装着されたバンドコイル２０から梱包バンド２１が引き出されるように回転可能になっており、梱包バンド２１が引き出される際には、バンドリール１２は、バンドコイル２０と一体となって回転するようになっている。バンドリール１２には、回転を停止させるためのブレーキ機構（図示せず）等が設けられており、これらの機構は、従来の梱包機と同様になっている。
【００１５】
本体ハウジング１１内の上部における中央部には、バンドコイル２０から引き出される梱包バンド２１を作業テーブル部１１ａに供給するフィードローラ１３が設けられており、また、このフィードローラ１３に対向して押さえローラ１４が回転可能に設けられている。バンドコイル２０から引き出される梱包バンド２１は、フィードローラ１３と押さえローラ１４との間に供給されて、押さえローラ１４によってフィードローラ１３の周面に押し付けられた状態とされて、フィードローラ１３の回転によって、上方に向かって供給される。
【００１６】
本体ハウジング１１の上部には、バンド案内アーチ１５の一対の支柱部１５ａ間において上下方向にスライド可能になった昇降台１６が配置されている。この昇降台１６は、バンドリール１２の軸方向に対して直交する方向に長く延びた直方体形状になっており、長手方向の両側の端部が、バンド案内アーチ１５の各支柱部１５ａに近接している。昇降台１６は、例えば、油圧シリンダ（図示せず）によって昇降されるようになっており、最も下方にスライドした状態では、その上面が作業テーブル部１１ａの上面と同じ高さ位置になり、上方にスライドされることによって、作業テーブル部１１ａから上方に突出した状態になる。そして、このように上方に突出した状態になると、図５に二点差線で示すように、作業テーブル部１１ａに載置されたパレット３１の各凹部３１ａ内に挿入されるようになっている。
【００１７】
本体ハウジング内における昇降台１６の下方には、フィードローラ１３を昇降台１６の内部に案内するガイドローラ１７が、昇降台１６に近接して回転可能に配置されており、ガイドローラ１７によって昇降台１６内に供給された梱包バンド２１は、昇降台１６内に設けられた加圧ローラ１６ａに案内されて、昇降台１６の上面からバンド案内アーチ１５の一方の支柱部１５ａに向かって送り出される。昇降台１６内に設けられた加圧ローラ１６ａは、昇降台１６の中央部に設けられた溶着部１６ｂに向かって移動可能になっており、その溶着部１６ｂに対して、梱包バンド２１を加圧するようになっている。
【００１８】
バンド案内アーチ１５は、各支柱部１５ａおよびビーム部１５ｂの内面が開放されたフレーム状になっており、加圧ローラ１６ａによって一方の支柱部１５ａに向かって案内された梱包ガイド２１は、その支柱部１５ａに沿って上方に移動した後に、ビーム部１５ｂおよび他方の支柱部１５ａに沿って移動して、昇降台１６の上面に到達して、昇降台１６の上面に沿って移動する。
【００１９】
このような構成の本発明の梱包機は、通常の被梱包物を梱包する場合には、昇降台１６が下降されて、その上面が作業テーブル部１１ａと同じ高さになった状態とされて、従来の梱包機と同様に、昇降台１６の上面を含む作業テーブル１１ａの上面に載置された被梱包物を梱包バンド２１によって梱包する。
【００２０】
これに対して、図５に示すように、一対の底部に凹部３１ａが形成されたパレット３１上に運搬物３２が載置された被梱包物３０を梱包する場合には、まず、図１に示すように、昇降台１６が下降されて、昇降台１６と作業テーブル部１１ａとが同じ高さとされた状態で、バンドリール１２が、図１に矢印Ａで示す方向に回転されて、バンドコイル２０から梱包バンド２１が引き出されて、昇降台１６の上面からバンド案内アーチ１５に沿って移動される。そして、梱包バンド２１の先端部が、昇降台１６の上面に達すると、昇降台１６に設けられた溶着部１６ｂ上にて固定される。
【００２１】
このような状態になると、パレット３１上に運搬物３２が載置された被梱包物３０を、一方の凹部３１ａが昇降台１６に対向するように作業テーブル部１１ａ上に載置して、
図２に示すように、昇降台１６が上昇されて、図５に二点差線で示すように、被梱包物３０におけるパレット３１の凹部３１ａ内に昇降台１６が進入した状態になる。なお、図２においては、被梱包物３０は、図示されていない。
【００２２】
パレット３１の凹部３１ａ内に昇降台１６が進入した状態になると、バンドリール１２が梱包バンド２１を引き締めるように、図２に矢印Ｂで示す方向に回転される。これにより、バンド案内アーチ１５に沿った状態の梱包バンド２１は、バンド案内アーチ１５から外れるように引き締められ、さらにその後に、図３に示すように、加圧ローラ１６ａが、溶着部１６ｂに圧接するように水平方向にスライドされる。これにより、加圧ローラ１６ａの周面に接している梱包バンド２１部分は、加圧ローラ１６ａとともに溶着部１６ｂに向かって移動されて、溶着部１６ｂ上に固定された梱包バンド２１の先端部と重ねられて加圧される。
【００２３】
この場合、昇降台１６が、パレット３１の凹部３１ａ内に挿入された状態になっていることから、梱包バンド２１は、パレット３１の凹部３１ａ内の底面（上側面）に圧接された状態になり、パレット３１と、その上に載置された運搬物３２とが、確実に一体的に巻回される。
【００２４】
このような状態になると、溶着部１６ｂによって、相互に重ねられた梱包バンド２１部分同士が加熱されて溶着され、さらには、溶着部１６ｂによって溶着された梱包バンド２１部分に対してバンドコイル２０側の梱包バンド２１部分が切断される。これにより、被梱包物３０が梱包バンド２１によって梱包される。
【００２５】
その後、図４に示すように、昇降台１６に設けられた加圧ローラ１６ａが、溶着部１６ｂから離れるようにスライドされて、昇降台１６が下降される。その後に、バンドリール１２が、図４に矢印Ａで示す方向に回転されて、バンドコイル２０から梱包バンド２１が引き出されて、昇降台１６の上面からバンド案内アーチ１５に沿って移動される。そして、梱包バンド２１の先端部が、昇降台１６の上面に達すると、昇降台１６に設けられた溶着部１６ｂ上にて固定される。その後、作業テーブル部１１ａ上に被梱包物が載置されて同様の梱包動作が実施される。
【００２６】
なお、被梱包物が、図５に示すように、凹部を有するパレット３１を使用していない場合には、昇降台１６が昇降されないこと以外は、前述の梱包動作と同様の動作、すなわち、従来の梱包機の梱包動作と同様の動作が実施されることになる。
【００２７】
以上のように、本発明の梱包機は、底部に凹部３１ａを有するパレット３１を使用する場合にも、パレット３１上に載置された運搬物３２をパレット３１と確実に一体的に梱包することができる。また、このようなパレット３１を使用する必要がない場合にも、被梱包物を確実に梱包することができる。
【００２８】
以上のように、本発明の好ましい実施形態を用いて本発明を例示してきたが、本発明は、この実施形態に限定して解釈されるべきものではない。本発明は、特許請求の範囲によってのみ、その範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００２９】
被梱包物を熱可塑性樹脂製の梱包バンドによって梱包する梱包機において、パレットの底部に凹部が形成されている場合にも、パレット上に載置された運搬物とパレットとを梱包バンドによって確実に梱包することができる。
【図面の簡単な説明】
【００３０】
【図１】本発明の梱包機の一例を示す概略構成図である
【図２】その梱包機の動作説明図である。
【図３】その梱包機の動作説明図である。
【図４】その梱包機の動作説明図である。
【図５】その梱包機にて梱包される被梱包物の一例を示す斜視図である。
【符号の説明】
【００３１】
１１    本体ハウジング
１１ａ  作業テーブル部
１２    バンドリール
１３    フィードローラ
１５    バンド案内アーチ
１６    昇降台
１６ａ  加圧ローラ
１６ｂ  溶着部
２０    バンドコイル
２１    梱包バンド
３０    被梱包物
３１    パレット
３１ａ  凹部
３１ｂ  脚部
【図１】
2006082821.tif 000003
【図２】
2006082821.tif 000004
【図３】
2006082821.tif 000005
【図４】
2006082821.tif 000006
【図５】
2006082821.tif 000007